(57)【要約】【課題】よりよい組立の全体性を持ち開閉操作が容易なヘアクリップの構造を提供する。【解決手段】挟持体１、２には湾曲部１１、２１があって下方に挟み合せ部１２、２２を設け、上方に枢接部１３、２３を設け、枢接部１３、２３に外部へ突出する枢接耳１３１、２３１があり、且枢孔１３２、２３２を設け、挟持体１、２の枢接部１３、２３を互いに接続させると殆ど隙間のない状態になり、挟持体１、２の湾曲部１１、２１の間に毛髪挟着空間があり、押圧塊３の下方を其々挟持体１、２に固着に繋いで上方には押圧部３２を設け、枢軸４は挟持体１、２の枢孔１３２、２３２を貫通して挟持体１、２を枢接に組合せ、弾性パーツ５は湾曲部５１があり、弾性パーツ５を挟持体１、２の湾曲部１１、２１の内側の上方に設け、両側を其々挟持体１、２に固着に繋ぎ、湾曲部５１が毛髪挟着空間の上方に位置し、弾性パーツ５によって挟持体１、２に挟合力が提供可能である。【選択図】図１
0003120155.tif 000002
【実用新案登録請求の範囲】
【請求項１】
二つの挟持体を備え、該二つの挟持体には湾曲部があって下方に挟み合せ部を設け、上方に枢接部を設け、該枢接部に外部へ突出する枢接耳があり、枢孔を設け、二つの挟持体の枢接部を互いに接続させると殆ど隙間のない状態になり、二つの挟持体の湾曲部の間に毛髪挟着空間があり、
二つの押圧塊の下方を其々二つの挟持体に固着に繋いで上方には押圧塊を設け、
枢軸は二つの挟持体の枢孔を貫通して二つの挟持体を枢接に組合せ、
弾性パーツは湾曲部があり、弾性パーツを二つの挟持体の湾曲部の内側の上方に設け、両側を其々二つの挟持体に固着に繋ぎ、湾曲部が毛髪挟着空間の上方に位置し、弾性パーツによって二つの挟持体に挟合力が提供可能であることを特徴とするヘアクリップの構造。
【請求項２】
二つの挟持体の外側及び押圧塊の下方に接合するための接合部を設け、二つの挟持体、押圧塊の接合部、及び弾性パーツの両側において対応する位置に其々組立孔を設け、固着パーツによって固着に繋ぐことを特徴とする請求項１に記載のヘアクリップの構造。
【請求項３】
二つの挟持体、及び弾性パーツの両側に其々組立孔を設けて固着パーツによって固着に繋いで、押圧塊を二つの挟持体の外側に固着に繋ぐと前記固着パーツを覆って遮蔽可能であることを特徴とする請求項１に記載のヘアクリップの構造。
【請求項４】
二つの挟持体の湾曲部の内面に挿入孔を設け、
弾性パーツは弾性のある棒状体であり、湾曲部を有し、両端において前記挿入孔と対応する位置に挿入部を設けるため、弾性パーツは両端にある挿入部によって其々二つの挟持体にある挿入孔と組合せ可能であることを特徴とする請求項１に記載のヘアクリップの構造。
【請求項５】
二つの押圧塊は其々二つの挟持体と成型接合可能であることを特徴とする請求項１に記載のヘアクリップの構造。
【考案の詳細な説明】
【技術分野】
【０００１】
本考案は、ヘアクリップの構造に関する。
【背景技術】
【０００２】
図９は目下よく見かけられる、従来の挟爪型ヘアクリップの構造である。主としては二つの挟持体１’、２’、バネ３’、及び枢軸４’からなり、且該二つの挟持部１’、２’の頂端は摘み部１１’、２１’に成型され、且摘み部１１’、２１’の内面に其々二つの枢接耳１２’、２２’が成型され、且該枢接耳１２’、２２’の間にバネ３’を受容できるため、二つの挟持部１’、２’及びバネ３’は枢軸４’によって枢接耳１２’、２２’及びバネ３’を貫通して枢接に組立てられ、そして二つの挟持部１’、２’はバネ３’の弾性力によって挟み合わせることができる。
しかしながら図１０に示されたように、前記の構造では髪を束ねる時、バネ３’はそのまま外へ露出されるため、ヘアクリップの外観において全体的な質感がなくなり、且全体としての髪形の美感を低下させる。
【０００３】
又図１１に示されたものは蓋板のあるヘアクリップの構造である。該ヘアクリップの構造では、二つの挟持部５’、６’の摘み部５１’、６１’の終端に切欠け５２’、６２’を設け、且切欠け５２’、６２’に貫通できる軸孔５３’、６３’が設けてあるため、枢軸５４’、６４’によって蓋板７’の両端を組立てることができ、又蓋板７’の両端に突出部７１’、７２’を設け、且突出部７１’、７２’は前記の切欠け５２’、６２’の中に伸び入ることができ、且軸孔７３’、７４’を設けて枢軸５４’、６４’によって挟持部５’、６’と枢接できる。
【０００４】
しかし前記の構造ではバネ８’が遮蔽されても次のような欠点をもたらす。合せて図１２を参照してください。手で摘み部５１’、６１’を押して二つの挟持部５’、６’を開くとき、該蓋板７’と挟持部５’、６’との枢接位置aは直接に押圧力を受止めるため、蓋板７’と二つの挟持部５’、６’の軸孔５３’、６３’、７３’、７４’は枢軸５４’、６４’と引っ掛かりやすくなり、ヘアクリップの操作は「蓋板７’を組立ていない場合」よりも不便になる。
【０００５】
ヘアクリップを組立てるとき、バネ８’及び枢軸９’を組立てる外、蓋板７’及び二つの枢軸５４’、６４’を組合せなければならず、且二つの枢軸５４’、６４’の端部において脱落を防止するには再び押し合せ処理を行わなければならないため、組立に際して時間を費やし、コストも大幅に増加し、経済的ではない。
枢軸５４’、６４’の表面は錆付いて腐食すると、軸孔５３’、６３’、７３’、７４’と枢軸５４’、６４’との回動が引っ掛かって動かなくなったりヘアクリップの使用寿命を低下させたりする。
【考案の開示】
【考案が解決しようとする課題】
【０００６】
本考案は、よりよい組立の全体性を持ち、開閉操作が容易なヘアクリップの構造を提供することを目的とする。
【課題を解決するための手段】
【０００７】
本考案は前記のような目的を達成するために、二つの挟持体、二つの押圧塊、枢軸、及び弾性パーツを組み立てるようにし、該二つの挟持体に湾曲部を設け、且下方に挟み合わせ部を設け、上方に枢接部を設け、又該枢接部に外部へ突出した枢接耳があり、且枢孔を設け、そして二つの挟持体の枢接部を繋ぎ合わせると隙間のないような状態になり、且二つの挟持体の湾曲部に毛髪挟着空間を持つようし、又二つの挟持体の外側に押圧塊を組立てるための接合部を設け、且該接合部に内へ窪む凹溝があり、又二つの挟持部に組立孔を設け、又二つの押圧塊において下方には接合部を設け、上方には押圧部を設け、そして該接合部を前記の凹溝の中に設け入れて其々二つの挟持体に接合し、又接合部において前記の組立孔と対応する位置に組立孔を設け、又枢軸を二つの挟持体にある枢孔から貫通して二つの挟持体を枢接に組合せ、又弾性パーツは弾性片であり、且湾曲部があり、そして両側は二つの挟持体の湾曲部の内面と接合でき、且二つの挟持体の組立孔と対応する位置に組立孔を設け、そして弾性パーツを二つの挟持体の湾曲部の内側の上方に設け、且固着パーツによって其々二つの押圧塊、二つの挟持体、及び弾性パーツの組立孔を貫通して固着に繋ぐようにし、且湾曲部を毛髪挟着空間の上方に位置するようにし、そうすると組立ててから二つの挟持体の枢接部は弾性パーツを覆うことができるため、よりよい全体性のある質感が獲得でき、且弾性パーツの湾曲部を毛髪挟着空間の湾曲に対応して設置するため大幅に毛髪挟着空間の体積が減少されることが無いし、使用者は押圧塊の押圧部を押して二つの挟持体を展開させると同時に弾性パーツの湾曲部を対応して拡張させることができ、押圧塊を放すと弾性パーツの撓み復帰力によって髪を束ねることができ、操作し易くなる。
又本考案のもう一つの目的とは、二つの挟持体の湾曲部の内面に挿入孔を設け、又弾性パーツは弾性のある棒状体であり、且湾曲部があり、そして両端において前記の挿入孔に対応する位置に挿入部を設けて弾性パーツを両端の挿入部によって其々二つの挟持体の挿入孔と組合せることができるため、組立てやすくなる。
【考案を実施するための最良の形態】
【０００８】
図１から図３を参照してください。本考案の第一実施例によるヘアクリップは、二つの挟持体１、２、二つの押圧塊３、枢軸４、及び弾性パーツ５からなり、且該二つの挟持体１、２に湾曲部１１、２１があり、そして下方には挟み合せ部１２、２２を設け、上方には枢接部１３、２３を設け、又該枢接部１３、２３に外部へ突出する枢接耳１３１、２３１があり、そして枢孔１３２、２３２を設け、且二つの挟持体１、２の枢接部１３、２３を繋ぎ合わせると殆ど隙間のない状態になり、そして二つの挟持体１、２の湾曲部１１、２１の間に毛髪挟着空間６を持たせ、又二つの挟持体１、２の外側に押圧塊３を組立てるための接合部１４、２４を設け、そして該接合部１４、２４に内へ窪む凹溝があり、又二つの挟持体１、２に組立孔１５、２５を設ける。
【０００９】
二つの押圧塊３においてその下方に接合部３１を設け、上方に押圧部３２を設けるようにし、そして該接合部３１を前記の接合部１４、２４の凹溝の中に設けて其々二つの挟持体１、２に接合して、又接合部３１において前記の組立孔１５、２５と対応する位置に組立孔３３を設ける。
枢軸４は二つの挟持体１、２の枢孔１３２、２３２を貫通して二つの挟持体１、２を枢接に組合せる。
【００１０】
弾性パーツ５は弾性片であり、そして湾曲部５１を有し、且該湾曲部５１の湾曲が毛髪挟着空間６の上方の湾曲より小さく、そして両側は二つの挟持体１、２の湾曲部１１、２１の内面と接合でき、且二つの挟持体１、２の組立孔１５、２５と対応する位置に組立孔５２、５３を設け、そして弾性パーツ５を二つの挟持体１、２の湾曲部１１、２１の内側の上方に設け、且固着パーツによって其々二つの押圧塊３、二つの挟持体１、２、及び弾性パーツ５の組立孔３３、１５、５２を貫通して固着に繋ぎ、並びに固着パーツによって押圧塊３、挟持体２、及び弾性パーツ５の組立孔３３、２５、５３を貫通して固着に繋ぎ、且湾曲部５１を毛髪挟着空間６の上方に設け、そして組合せてから二つの挟持体１、２は弾性パーツ５によって挟合力を有するようになる。
【００１１】
合せて図１から図５を参照してください。本実施例における二つの挟持体１、２は適当な造形の押圧塊３に合せて組合せることができ、又組合せてから二つの挟持体１、２の枢接部１３、２３は弾性パーツ５を覆って遮蔽することができるため、より優れた全体的な質感が獲得でき、そして弾性パーツ５の湾曲部５１は毛髪挟着空間６の上方の湾曲に対応して設置されるため、大幅に毛髪挟着空間６の体積が減少されることが無く、又図４に示されたように、使用者は押圧塊３の押圧部３２を押すと二つの挟持体１、２を広げることができ、そして同時に弾性パーツ５の湾曲部５１を対応して展開させることができ、且図３に示されたように、押圧塊３を放すと、弾性パーツ５の撓み復帰力によって髪を束ねることができるため、スムーズに操作できるようになり、又図５に示されたように、本実施例において髪を束ねると弾性パーツ５は完全に遮蔽されることができるため、全体的な質感が獲得できるのである。
【００１２】
図６を参照してください。本考案における第二実施例によるヘアクリップの押圧塊７１には組立孔を設けなくてもよく、そして固着パーツによって二つの挟持体７２、７３を弾性パーツと固着に接続するようにしてから押圧塊７１を組立て、且押圧塊７１の下方にある接合部を、二つの挟持体７２、７３の外側に貼り合せまたは係り合せによって直接成型接合するか、または適当な方式で固着に接続し、組合せてから固着パーツを覆って遮蔽することができるため、より優れた組合せの全体性としての質感が獲得でき、又該二つの挟持体７２、７３の内面に凹溝７２１、７３１を設けて弾性パーツ７４の両側を接合するため、組立はより安定性、全体性を有することになる。
【００１３】
図７及び図８を参照してください。本考案における第三実施例によるヘアクリップでは、二つの挟持体８１、８２の湾曲部８１１、８２１の内面に挿入孔８１２、８２２を設け、弾性パーツ９は弾性のある棒状体であり、そして湾曲部９１を有し、両端において前記の挿入孔８１２、８２２と対応する位置に挿入部９２、９３を設け、弾性パーツ９を両端にある挿入部９２、９３によって其々二つの挟持体８１、８２にある挿入孔８１２、８２２と組合せることができるため、より組立てやすい利便性が獲得できる。
【００１４】
この外に、本考案の実施例における押圧塊は直接に挟持体と成型でき（図の中に示されていないが）、そして本考案において最も求めたい、弾性パーツを遮蔽する効果もあり、又本考案の実施例における二つの挟持体の間にある弾性パーツは一個以上設けることができ、そして弾性パーツはその他の適当な、効果の一致した構造を以って二つの挟持体と固着に繋ぐこともでき、そして前記の構造も本考案の設計範疇に属されるべきである。
【図面の簡単な説明】
【００１５】
【図１】本考案の第一実施例によるヘアクリップを示す分解斜視図である。
【図２】本考案の第一実施例によるヘアクリップを示す斜視図である。
【図３】本考案の第一実施例によるヘアクリップの断面図である。
【図４】本考案の第一実施例によるヘアクリップの断面図である。
【図５】本考案の第一実施例によるヘアクリップで髪を束ねた状態を示す模式図である。
【図６】本考案の第二実施例によるヘアクリップの断面図である。
【図７】本考案の第三実施例によるヘアクリップを示す分解斜視図である。
【図８】本考案の第三実施例によるヘアクリップを示す斜視図である。
【図９】従来のヘアクリップを示す分解斜視図である。
【図１０】従来のヘアクリップにより髪を束ねた状態を示す模式図である。
【図１１】もう一つの従来のヘアクリップを示す分解斜視図である。
【図１２】もう一つの従来のヘアクリップを示す斜視図である。
【符号の説明】
【００１６】
１  挟持体、１１  湾曲部、１２  挟み合せ部、１３  枢接部、１３１  枢接耳、１３２  枢孔、１４  接合部、１５  組立孔、２  挟持体、２１  湾曲部、２２  挟み合せ部、２３  枢接部、２３１  枢接耳、２３２  枢孔、２４  接合部、２５  組立孔、３  押圧塊、３１  接合部、３２  押圧部、３３  組立孔、４  枢軸、５  弾性パーツ、５１  湾曲部、５２  組立孔、５３  組立孔、６  毛髪挟着空間、７１  押圧塊、７２  挟持体、７２１  凹溝、７３  挟持体、７３１  凹溝、７４  弾性パーツ、８１  挟持体、８１１  湾曲部、８１２  挿入孔、８２  挟持体、８２１  湾曲部、８２２  挿入孔、９  弾性パーツ、９１  湾曲部、９２  挿入部、９３  挿入部
【図１】
0003120155.tif 000003
【図２】
0003120155.tif 000004
【図３】
0003120155.tif 000005
【図４】
0003120155.tif 000006
【図５】
0003120155.tif 000007
【図６】
0003120155.tif 000008
【図７】
0003120155.tif 000009
【図８】
0003120155.tif 000010
【図９】
0003120155.tif 000011
【図１０】
0003120155.tif 000012
【図１１】
0003120155.tif 000013
【図１２】
0003120155.tif 000014